【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
垂直遮光領域と遮光されていない有効領域とを含む撮像素子を有する撮像手段と、
前記撮像手段と接続された第１の画像処理回路と、
前記第１の画像処理回路と接続された第２の画像処理回路とを備え、
前記第１の画像処理回路は画像データを前記撮像手段から受信し、前記撮像手段から受信した画像データの１フレームの前記有効領域の一部である第１の領域の画像データに対して、前記１フレームの前記垂直遮光領域の画像データを用いて所定の画像処理を施し、
前記第１の画像処理回路は、前記１フレームの前記有効領域のうち、前記第１の領域とは少なくとも一部が異なり、かつ、前記垂直遮光領域と連続した一部を第２の領域として設定し、前記垂直遮光領域の画像データと、前記所定の画像処理が施されていない未処理の前記第２の領域の画像データとを、連続して前記第２の画像処理回路に送信し、
前記第２の画像処理回路は、前記第１の画像処理回路から送信された、前記１フレームの前記垂直遮光領域の画像データと前記未処理の前記第２の領域の画像データとを受信し、前記受信した前記垂直遮光領域の画像データを用いて、前記受信した前記第２の領域の画像データに前記所定の画像処理を施すことを特徴とする画像処理装置。
【請求項２】
前記撮像手段は、１フレームにおいて前記垂直遮光領域の画像データの後に前記有効領域の画像データを出力し、
前記第１の画像処理回路は、前記１フレームの前記有効領域のうちの上側の一部を前記第２の領域として設定し、前記１フレームの前記有効領域のうちの下側の一部を前記第１の領域として設定することを特徴とする請求項１に記載の画像処理装置。
【請求項３】
前記撮像素子は水平遮光領域を有し、
前記第１の画像処理回路は、前記下側の一部および前記下側の一部に対応した前記水平遮光領域を前記第１の領域として設定し、前記上側の一部および前記上側の一部に対応した前記水平遮光領域を前記第２の領域として設定することを特徴とする請求項２に記載の画像処理装置。
【請求項４】
前記第１の画像処理回路は、前記有効領域のうち、前記第１の領域以外の画像データに対しては前記所定の画像処理を行わず、
前記第１の画像処理回路は、前記有効領域のうち、前記第２の領域として設定された部分以外の未処理の画像データを前記第２の画像処理回路に送信しないことを特徴とする請求項１から３のいずれか１項に記載の画像処理装置。
【請求項５】
前記垂直遮光領域の画像データと前記未処理の前記第２の領域の画像データとを所定の伝送路を介して前記第２の画像処理回路に送信し、前記垂直遮光領域の画像データと前記未処理の前記第２の領域の画像データとを送信していない期間に、前記第１の画像処理回路により前記所定の画像処理が施された前記第１の領域の画像データを、前記所定の伝送路を介して前記第２の画像処理回路に送信することを特徴とする請求項１から４の何れか１項に記載の画像処理装置。
【請求項６】
前記第１の画像処理回路は、前記有効領域のうち、前記垂直遮光領域と連続していない部分を前記第１の領域として設定することを特徴とする請求項１に記載の画像処理装置。
【請求項７】
前記所定の画像処理は、前記垂直遮光領域の画像データを用いて前記有効領域の画像データを補正する処理を含むことを特徴とする請求項１から６の何れか１項に記載の画像処理装置。
【請求項８】
前記撮像手段は動画データを出力し、
前記第１の画像処理回路は前記撮像手段から出力された前記動画データを受信し、前記動画データの複数のフレームにおける前記第１の領域に前記所定の画像処理を施し、
前記第１の画像処理回路は、前記動画データの複数のフレームの前記垂直遮光領域の画像データと前記第２の領域の画像データを前記第２の画像処理回路に送信することを特徴とする請求項１から７のいずれか１項に記載の画像処理装置。
【請求項９】
前記第１の画像処理回路は一つの集積回路であり、前記第２の画像処理回路は前記第１の画像処理回路とは異なる一つの集積回路であることを特徴とする請求項１から８のいずれか１項に記載の画像処理装置。
【請求項１０】
前記第１の画像処理回路に接続された第１のメモリと、
前記第２の画像処理回路に接続された第２のメモリと、を更に備え、
前記第１の画像処理回路は、前記撮像手段から受信した画像データのうち前記第２の領域の画像データを前記第１のメモリに記憶せずに前記第２の画像処理回路に送信することを特徴とすることを特徴とする請求項９に記載の画像処理装置。
【請求項１１】
前記第２の画像処理回路に接続された表示手段を更に備え、
前記第１の画像処理回路は、前記第１の画像処理回路により前記所定の画像処理が施された前記第１の領域の画像データを、前記第２の画像処理回路に送信し、
前記第２の画像処理回路は、前記第１の画像処理回路から送信された前記所定の画像処理が施された前記第１の領域の画像データと、前記第２の画像処理回路により前記所定の画像処理が施された前記第２の領域の画像データと、を用いて１フレームの表示用の画像データを生成し、前記表示用の画像データを前記表示手段に表示することを特徴とする請求項１から１０のいずれか１項に記載の画像処理装置。
【請求項１２】
前記第２の画像処理回路は、前記撮像手段から画像データを受信するために前記撮像手段と接続されていないことを特徴とする請求項１から１１のいずれか１項に記載の画像処理装置。
【請求項１３】
垂直遮光領域と遮光されていない有効領域とを含む撮像素子を有する撮像手段と、
前記撮像手段と接続された第１の画像処理回路と、
前記第１の画像処理回路と接続された第２の画像処理回路と、
前記第１の画像処理回路は、画像データを前記撮像手段から受信し、前記撮像手段から受信した画像データの１フレームの前記有効領域の一部である第１の領域の画像データに対して、前記１フレームの前記垂直遮光領域の画像データを用いて所定の画像処理を施し、
前記第１の画像処理回路は、前記１フレームの前記垂直遮光領域の画像データと、前記１フレームの前記有効領域のうち前記第１の領域とは少なくとも一部が異なる第２の領域の、前記所定の画像処理が施されていない未処理の画像データと、を前記第２の画像処理回路に送信し、
前記第２の画像処理回路は、前記第１の画像処理回路から送信された、前記１フレームの前記垂直遮光領域の画像データと前記未処理の前記第２の領域の画像データとを受信し、前記受信した前記垂直遮光領域の画像データを用いて、前記受信した前記未処理の前記第２の領域の画像データに前記所定の画像処理を施すことを特徴とする画像処理装置。
【手続補正２】
【補正対象書類名】明細書
【補正対象項目名】０００７
【補正方法】変更
【補正の内容】
【０００７】
この課題を解決するため、例えば本発明の画像処理装置は以下の構成を備える。すなわち、垂直遮光領域と遮光されていない有効領域とを含む撮像素子を有する撮像手段と、撮像手段と接続された第１の画像処理回路と、第１の画像処理回路と接続された第２の画像処理回路とを備え、第１の画像処理回路は画像データを撮像手段から受信し、撮像手段から受信した画像データの１フレームの有効領域の一部である第１の領域の画像データに対して、１フレームの垂直遮光領域の画像データを用いて所定の画像処理を施し、第１の画像処理回路は、１フレームの有効領域のうち、第１の領域とは少なくとも一部が異なり、かつ、垂直遮光領域と連続した一部を第２の領域として設定し、垂直遮光領域の画像データと、所定の画像処理が施されていない未処理の第２の領域の画像データとを、連続して第２の画像処理回路に送信し、第２の画像処理回路は、第１の画像処理回路から送信された、１フレームの垂直遮光領域の画像データと未処理の第２の領域の画像データとを受信し、受信した垂直遮光領域の画像データを用いて、受信した第２の領域の画像データに所定の画像処理を施すことを特徴とする。